(57)【要約】【課題】  介助者の腰痛の発症を抑え、介助者の入浴作業を軽減することができる入浴時の介助具を提供すること。【解決手段】  介助者が装着するチョッキ状の人体支持具にリングあるいはフックを設け、入浴者の背中や臀部等を包むネット本体の両側にフックあるいはリングを設け、前記人体支持具のリングあるいはフックに前記ネット本体のフックあるいはリングを係合させて入浴者の体を保持して入浴できるようにしたもの。【選択図】図１
2019209091.tif 000002
【特許請求の範囲】
【請求項１】
介助者が装着するチョッキ状の人体支持具にリングあるいはフックを設け、入浴者の背中や臀部を包むネット本体の両側にフックあるいはリングを設け、前記人体支持具のリングあるいはフックに前記ネット本体のフックあるいはリングを係合させて入浴者の体を持ち上げて入浴するようにした入浴介助具。
【請求項２】
前記特許請求の範囲１項記載の入浴介助具において、  入浴者の乗り移りを容易にするため、ネット本体の両側辺間の幅を狭くしたものである入浴介助具。
【請求項３】
前記特許請求の範囲１項記載の入浴補助具において、  臀部支え部に設けたフックあるいはリングを人体支持具に設け、これらのフックあるいはリングを、ネット本体に設けたリングあるいはフックを係合させたものである入浴介助具。
【請求項４】
前記特許請求の範囲１項記載の入浴介助具において、  介助者の腰に巻き付け装着する体重軽減腰ベルトに斜面を形成した体重分散ブロックを設け、このブロックの側面を入浴者の側面に当接するか、あるいは、前記斜面を有するブロックの一部をネット本体とベッドの間に挿入する斜面を形成するように構成した入浴介助具。
【発明の詳細な説明】
【技術分野】
【０００１】  本発明は、入浴介助具に関し、特に、入浴時に介助者に掛かる負担を軽減する入浴時の介助を補助するための入浴介助具に関するものである。
【背景技術】
【０００２】  寝たきりの老人や、それ以外の人、例えば，怪我をしている人は、自分で入浴するのが困難で、介助が必要となる。介助される被介助者（以下、入浴者という。）は、男性の場合、平均６０キログラム、女性の場合でも５０キロブラムであり、介護師一人で持ち上げて移動し入浴させるのが困難で、入浴作業は二人あるいは複数人で対応することになる。【０００３】  最近は、介護師不足で介護師の確保が困難となっており、二人で入浴作業に対応することができず、病院や入浴のできるデイサービス施設の悩みの種になっている。【０００４】  そのため、一人で入浴作業ができるように、最近では、介助人に装着するロボットスーツ（ＣＹＢＥＲＤＹＮＥ社所有商標）や、その他の被介助者を持ち上げた状態で浴槽まで移動する機械器具が提案されている。【０００５】  しかしながら、前記ロボットスーツは、器具を介助者に装着するのが面倒で、機械器具は、入浴するたびに、持ち運ばなければならないという問題がある。  又、前記ロボットスーツや機械器具は高価で、小規模の病院やデイサービス施設では自前で購入するのが困難といえる。レンタルで購入する方法もあるが、入浴できる福祉企業の負担は同様である。  本発明は前記の課題を解決することを指向として、一人でも入浴作業ができる入浴を介助する補助具を提案するものである。【０００６】  本発明は前記に着目し、介助者一人でも入浴作業ができるように、ネットで入浴者の全身を包も、このネットの端部に取り付けた係合部に、介助者が装着したチョッキの如くの人体支持具に、同様に取り付けた係合部に係合し、介助者に掛かる荷重を腕や腰に分担して、介助者の腰痛の発症などを押させるようにした入浴を補助するための入浴介助具である。【０００７】  従来、入浴するときに、ネットで体を支えるものは知られており、下記特許文献もその一つである。しかしながら、入浴に際して介助者の負担に着目し、介助者の負担を軽減するものは存在しない。
【先行技術文献】
【特許文献】
【０００８】
【特許文献１】実用新案登録第３１９８７８４号公報
【発明の概要】
【発明が解決しようとする課題】
【０００９】  特許文献１に記載した発明は、ネットで体を支えるものであることは前述とおりである。  具体的には、ネット素材３を張設した枠体２の上辺には係止紐７ａ、７ｂが、これらの係止紐７ａ、７ｂの上端にはフック６ａ、６ｂを設け、そしてこのフック６ａ、６ｂを、浴室Ｙの壁の手摺り棒Ｚに引っ掛け、ネット素材３を張設した枠体２を浴槽内に設置して入浴するものである。【００１０】  前記実用新案登録公報に記載されている実用新案は、ネットを利用して入浴するものである点では、本発明と同じであるが、本発明が指向している介助者の肉体的負担を軽減し、介助者の腰痛を抑えるなど、介助者への肉体的負担を軽減することについては記載されていないし、又、その示唆もないものである。【００１１】  前記の課題に着目し、本発明の主たる目的は、介助者の腰痛の発症を抑え、介助者に掛かる入浴時の負担を軽減しうる入浴介助具を提供することである。  その他の目的は、入浴する被介助者がネットに乗り移り易く、介助者の負担を軽減することである。  更に又、介助者に掛かる入浴者の体重を、介助者の身体全体で分担させ、介助者の肉体的負担を軽減し、介助者の腰痛の発症を抑えることである。
【課題を解決するための手段】
【００１２】  前記目的を達成するために、本発明は、介助者が装着するチョッキ状の人体支持具にリングあるいはフックを設け、入浴者の背中や臀部を保持するネット本体の両側にフックあるいはリングを設け、前記人体支持具のリングあるいはフックに前記ネットのフックあるいはリングを係合させて入浴者の体を保持して入浴するようにした入浴介助具であり、又、入浴者を持ち上げて移動するのを容易にするために、入浴者を保持するネットの側辺の幅を狭くしたものであり、更に、臀部支え部に設けたフックあるいはリングを人体支持具に設けたリングあるいはフックを係合させて構成したものであり、更に又、介助者に装着する腰ベルトに入浴者の体重を分担するように構成したものである。
【発明の効果】
【００１３】  本発明は前記手段により、介助者の腰痛の発症を抑え、介助者の入浴作業を軽減することができる入浴時の入浴介助具を提供することができたものである。  又、ネットの側辺の幅を狭くすることで、入浴者がネットに容易に移れるようになり、入浴者本人はもとより介助者の負担も軽くなるという効果を有するものである。  更に又、腰に取り付ける腰ベルトで入浴者の体重をネット本体と分散して負担することにより、介護者の腰痛の発症を軽減することができるものである。
【図面の簡単な説明】
【００１４】
【図１】本発明の一実施例を示すネットの平面図。
【図２】同じくネットを浴槽に取り付けた状態の平面図。
【図３】浴槽に身体支え板を取り付けた状態の側面図。
【図４】本発明の介助補助具を使用した状態の正面図。
【図５】同じく側面図。
【図６】同じく背面図。
【図７】身体の荷重受け具の平年図。
【図８】同じく正面図。
【図９】同じく側面図。
【図１０】荷重分散説明図
【図１１】タスキ状の人体支持具の背面図。
【発明を実施するための形態】
【００１５】  以下本発明の一実施例を図面に基づいて説明する。  図１のネット全体の平面図と、図２のネットを浴槽に取り付けた状態図と、入浴者を入浴時に支える人体を浴槽に取り付けた概略側面図であり、これらの図に基づいて次に説明する。
【００１６】  １はネット本体で、入浴する入浴者を支持するネットで、伸長しない漁網や、これに類する合成樹脂製の網で構成している。このネット本体１の周囲の上辺には上縁１０１、下辺には下縁１０２、左側辺には左側縁１０３、および、右側辺には右側縁１０４が設けられていて、これらの上下縁１０１、１０２、左右側縁１０３、１０４によってネットの枠体を形成している。この枠体には、人体を支持するネットを張設している。  前記ネットの枠体はインサートした合成樹脂で構成され、枠体の左側縁１０３と右側縁１０４は、それぞれ湾曲に形成して、他の枠体に比較して幅狭に形成し、入浴者のネットへ本体１への乗り移しが容易にできるように工夫してある。
【００１７】  ２は、ネット１に貼着し、身体の臀部を支える臀部支え部で、臀部の当接部には当て布２１が設けられている。当て布２１は、ネット本体１より厚く柔らかい素材で形成し、臀部の痛みを和らげる。  ３は、前記の上縁１０１の右端に結合された、紐あるいは細幅状の第１の紐条体で、この第１の紐条体３には、体の上部（首付近）を支える上部支えリング４、同じく体の足部を支える複数の足部支えリング５が取り付けられている。  ３１は、ネット本体１の下縁１０２の右端に結合された第２の紐条体で、体の上部を支える上部支えリング４１、同様にして足部支える複数の足部支えリング５１が取り付けられている。
【００１８】  前記上縁１０１及び下縁１０２の左端には、それぞれ後述する人体支持具（チョッキ）の上部支えリング４、４１に係合するフック６及び６１が紐によって取り付けてある。  臀部支え部２の左端には、フック７、及び７１が紐によって取り付けてある。
【００１９】  前記、リング４、５、リング４１、５１は、後述する図１１の人体支持具１１に記載されているフック８と係合し、フック６、６１、及びフック７、７１は同じく図１１に記載されているリング９にそれぞれに係合するように構成されている。  人体支持具１１の構成については、後述する図１１で詳細に説明する。
【００２０】  図１の符号１０は、二点鎖線で表示した浴槽Ｃの上縁に引っ掛けるフックで、ネット本体１の左側縁１０３に４個、右側縁１０４に４個ずつ設けられている。  左右側縁に４個ずつ、合計８個のフックにより、ネット本体１は安定して浴槽Ｃに装着することができる。
【００２１】  図２、図３は、ネット本体１を、浴槽Ｃに装着した状態を上方から見た図、及び横から見た図である。  図で、１６は、浴槽Ｃの上縁に差し渡した被介助者である入浴者Ｂの人体を下方から支持する剛性の人体支持板である。この人体支持板１６は、入浴者の体重を支えるのに充分な強度を持つ。  又、この人体支持具１６は、湯船を沈めて使用するもので、その深さは入浴者が仰向けに寝た状態で体が沈む程度としている。
【００２２】  図４乃至図６は、介助者Ａが、図１１で示した人体支持具１１（チョッキ）を装着した状態を、それぞれ示しているが、先ず、図１１の人体支持具１１の詳細な構成を先に説明する。
【００２３】  図１１において、１１は、前述のように、帆布のような比較的強い生地を、馬蹄形に裁断して形成した人体支持具である。  この人体支持具１１は、チョッキのように、介護者の左右の腕を通す楕円形の腕抜き穴１２を有しており、人体支持具１１は容易に着脱できる。  この人体支持具１１を着用し、前記ネット本体１や体重軽減ベルト１４と共に使用するときは、入浴者Ｂの体重を軽減するために、人体支持具１１を介助者にできるだけ密着して装着することが好ましい。
【００２４】  人体支持具１１の裏面には、帆布にタスキ掛けしたリボン状で帆布製の人体支持ベルト１３が縫製されている。  この人体支持ベルト１３の上方端には、前記したフック８、８を、左右下端にリング９、９が設けられている。
【００２５】  次に、図７乃至図９に基づいて、被介助者である入浴者の体重を軽減する入浴者の体重を軽減する体重軽減腰ベルトについで説明する。
【００２６】  図７において、１４は、医療用ベルトやベルトコンベアなどの剛性素材でなされる体重軽減腰ベルトで、介助者が腰に巻き付け装着、使用するものである。  この体重軽減腰ベルト１４には、図示しないが長さを調整する通常の長さ調整金具が備えられている。
【００２７】  この体重軽減腰ベルト１４の長辺一方には、体重分散ブロック１５が設けられている。  図８は、体重軽減ベルト１４の正面図、第９図はその側面図である。  体重分散ブロック１５は合成樹脂で形成され、図９の側面で明らかなように、側面が三角状の斜面▲ｂ▼を形成している。
【００２８】  そして、この斜面▲ｂ▼を後で述べるように、入浴者の身体の下面に挿入して、体重を分散し、介助者の負担を軽減するように作用する。  尚、体重分散ブロック１５が身体に接触する面は、入浴する身体の形に合うように湾曲（図示せず）して、入浴者の下にスムースに滑り込むようにしている。  このように、入浴者への入浴作業がスムース、且つ、効率的にできるようになる。
【００２９】  前記本発明は構成されるが、次に、図４乃至図６に基づき本発明による入浴の作業手順についてステップ毎に説明する。
【００３０】ステップ１    図３のように、人体支持板１６を浴槽Ｃの長手方向上縁に跨がせて入浴の準備をする    。    浴槽に、この人体支持板１６が沈むように湯を張る。    このとき、湯はネットを通して全身に接触し、身体を洗うことができる。    ステップ２    ベッド（図示せず）の横に、ベッドと同じ高いか、若干低い高さのテーブル（図示せ  ず）を密着させる。ステップ３    ベッドに密着しているテーブルの上にネット本体１を広げる。    このとき、ネット本体１に付いている複数のリング４、５やフック７、１０同士が絡  まないように注意する。ステップ４    入浴者Ｂが、寝ているか、起きて寛いでいる状態から、入浴者Ｂは前記ネット本体１  の上に移る。    入浴者Ｂ自身がネット本体１上に移れない場合は、介助者Ａが、それを手助けするよ  うにする。    このとき、ネット本体１の左側縁１０３と右側縁が湾曲して、その幅が狭くなってい  るので、入浴者Ｂの乗り移りがスムースに行える。従って、入浴の作業時間が短縮でき  る効果がある。ステップ５      一方、介助者Ａは、人体支持具１１に腕抜き穴１２に腕を通して人体支持具１１を    着用装着して準備は完了する。
【００３１】  次に、介助者Ａが、人体支持具１１（チョッキ）を装着し、入浴者Ｂをネット本体１に乗せて、持ち上げるやり方について、図４〜図６に基づいて説明する。  図４は、介助者Ａが、入浴者Ｂをネット本体１に乗せた状態を前から見た正面図、図５は、同じく横から見た側面図、同じく図６は背面から見た背面図である。
【００３２】  これらの図面に基づいて説明する。  先ず、ネット本体１に入浴者が乗せられた状態で、ネット本体１の臀部支え部２に取り付けられたフック９に係合させる。  これによって被介助者Ｂの体重の一部を支えることができる。
【００３３】  次に、ネット本体１のリング４を６に係合し、同じくネット本体１のリング５を人体支持ベルト１１のフック８に係合させ、ネット本体１で入浴者Ｂを包み吊り下げられる状態にする。  このとき、入浴者Ｂは、身体の臀部から足部までの身体全体がネット本体１に包まれるので、身体が安定し、恐怖感が除かれる。
【００３４】  一方、介助者Ａは、体重軽減用の腰ベルト１４を腰に巻き付け装着し、入浴作業の準備をする。
【００３５】  そして、腰ベルト１４に設けた体重分散ブロック１５を、入浴者Ｂの下、具体的には臀部の下に挿入する。このとき、介助者Ａがネット本体１に包まれている入浴者Ｂを若干持ち上げれば簡単に挿入できるものである。  このとき、体重分散ブロック１５のすべてを挿入する必要はなく、このブロック１５の一部を入浴者Ｂに、入浴者Ｂが苦痛を感じない程度に挿入すればよい。  これは、入浴者Ｂに問いながら行えばよい。
【００３６】  又、この腰ベルト１４には体重分散ブロック１５を設けられているが、このブロック１５は三角形の斜面を有する形状として入浴者の体重を分散するように工夫している。  図１０に体重を分散する理屈について説明する。
【００３７】  図において、Ｘ０は入浴者Ｂの全体重  Ｘ１は入浴者Ｂの斜面効果で分散され、ベクトルで示された分散された後の主体重、Ｘ２は、臀部支え部２やブロック１５を持つ体重軽減腰ベルト１４を用いた後の分担体重である。  α１はブロック１５の斜面の角度を示しており、入浴者Ｂが体重５０キログラムで、斜面角度α１が４５°であれば、分散された体重Ｘ１は斜面効果で約３５キログラムになる。  又、斜面角度がα２で角度２０°のときは、同じく斜面効果で、分散された体重Ｘ２は約４７キログラムになる。  いずれにしても、ブロック１５の斜面効果で入浴者Ｂの体重は軽減され、斜面の角度は任意に変更できる。
【００３８】  前述のステップ、あるいは、手順で、介助者Ａは、入浴者Ｂをネット本体１で包んだ状態で持ち上げるができる。このとき、介助者に掛かる肉体的負担が軽減されているので、浴槽Ｃまで介助者Ａは、一人で運ぶことができる。  このとき、入浴者の主たる重量が腰に掛かるので、腕に掛かる荷重は低減され、介助者Ａの肉体的な負担が軽減されるのである。
【００３９】  浴槽Ｃまで運んだ後は、入浴車Ｂを人体支持板１６に乗せた後に、フック１０を浴槽Ｃの上縁に引っ掛ける。このとき、ネット本体１を突っ張る程度に張設する。  その後ネット本体１を人体支持具（チョッキ）１１から外して体を洗うことが可能になる。
【００４０】  浴槽Ｃには身体が沈む程度に湯が張ってあるので、体を洗うことができる。  入浴者Ｂは、自身で洗うか、場合によっては介助者Ａの手助けによって洗うことができる。  身体を洗い、入浴完了後は、前述の逆の手順によって、入浴作業は完了する。
【００４１】  以上述べたように、本発明は、介助者Ａ単独で入浴作業をするのに好適な介助具であり、具体的には、入浴者Ｂの身体を包むネット本体１、臀部支え部２の両方で持ち上げて持ち運ぶことができる。更に、斜面形状を有するブロック１５を体重軽減用の腰ベルト１４を、追加し用いることで、これら三者で、被介助者Ｂの体重を分散するようにして、介助者Ａの負担を、更に軽減するようにできるものである。
【００４２】  前述のように、介助者Ａが人体支持具１１（チョッキ）を装着し、ネット本体１で入浴  者Ｂを包んだ状態で持ち上げるときは、入浴者Ｂの体重を分散できるので、介助者Ａの  負担を軽減することができる    特に、腰に掛かる負担を軽減することができるので、腰痛の発症を抑えることができたものである。
【００４３】  以上のように、本発明は、前記目的を達成するために、本発明は、介助者が装着するチョッキ状の人体支持具にリングあるいはフックを設け、入浴者の背中や臀部を保持するネット本体の両側にフックあるいはリングを設け、前記人体支持具のリングあるいはフックに前記ネットのフックあるいはリングを係合させて入浴者の身体を保持して入浴するようにした入浴介助具であり、又、入浴者の乗り移りを容易にするために、入浴者を支持保持するネット本体の左右側縁間の幅を狭くしたものであり、更に、臀部支え部に設けたフックあるいはリングを人体支持具に設けたリングあるいはフックに係合させるように構成したものであり、更に又、前記に加え、斜面形状を有するブロックを体重軽減用の腰ベルトを追加し用いることで、更に介助者に掛かる入浴者の体重を分担し、介助者への負担を軽減できるように構成したものである。
【００４４】  本発明は前述した構成により、介助者の腰痛の発症を抑え、介助者の入浴作業を軽減することができる入浴時の介助補助具を提供することができたものである。  又、ネットの側辺間の幅を狭くすることで、入浴者がネットに容易に乗り移ることができるようになり、入浴者本人はもとより介助者の負担も軽くなるという効果を有するものである。  更に又、腰に取り付ける腰ベルトで入浴者の体重をネット本体と分散して負担することにより、介護者の腰痛の発症を軽減することができるものである。
【符号の説明】
【００４５】  １…ネット本体、１０１…上縁、１０２…下縁、１０３…左側縁、１０４…右側縁、２…臀部支え部、２１…当て布、３…第１の紐条体、３１…第２の紐条体、４、４１…上部支えリング、５、５１…足部支えリング、６，６１，７，８…フック、９…リング、１０浴槽フック、１１…人体支持具、１２…腕抜き穴、１３…ネット支持ベルト、１４…体重軽減ベルト、１５…体重分散ブロック、１６…人体支持板。
【図１】
2019209091.tif 000003
【図２】
2019209091.tif 000004
【図３】
2019209091.tif 000005
【図４】
2019209091.tif 000006
【図５】
2019209091.tif 000007
【図６】
2019209091.tif 000008
【図７】
2019209091.tif 000009
【図８】
2019209091.tif 000010
【図９】
2019209091.tif 000011
【図１０】
2019209091.tif 000012
【図１１】
2019209091.tif 000013